(57)【要約】流体ディスペンサ組立品であって、特徴となるのは、投与開口部（１７）と、当該投与開口部（１７）を密封するのに適した取り外し可能な密封部材（１８）とを備える実質的に平らな本体（１０）、を形作る流体ディスペンサ（１）と、そして、ディスペンサ（１）を包み、開口部部分（２４、２８；２４０、２８０）が形成された包装（２）であって、当該開口部部分に内部には取り外し可能な密封部材（１８）が納められ、それをつかんで本体から取り除くことで投与開口部を開けることが可能である、という前記包装と、を有する点である、というディスペンサ組立品。
2004535992.tif 000002
【特許請求の範囲】
【請求項１】
流体ディスペンサ組立品であって、特徴となるのは、
投与開口部（１７）と、当該投与開口部（１７）を密封するのに適した取り外し可能な密封部材（１８）とを備える実質的に平らな本体（１０）、を形作る流体ディスペンサ（１）と、そして、
ディスペンサ（１）を包み、開口部部分（２４、２８；２４０、２８０）が形成された包装（２）であって、当該開口部部分に内部には取り外し可能な密封部材（１８）が納められ、それをつかんで本体から取り除くことで投与開口部を開けることが可能である、という前記包装と、を有する点である、
というディスペンサ組立品。
【請求項２】
開口部部分はリセス（２４、２８）を備え、当該リセス内には、取り外し可能な密封部材（１８）が、外から見える様態で保持されていること、
を特徴とする請求項１に記載のディスペンサ組立品。
【請求項３】
開口部部分（２４０、２８０）は、少なくとも部分的に、取り外し可能な密封部材（１８）を包んでいること、
を特徴とする請求項１に記載のディスペンサ組立品。
【請求項４】
開口部部分（２４０、２８０）は、少なくとも１本の抵抗最弱ライン（２４１、２８１）によって規定されており、それによって、開口部部分は、取り外し可能な密封部材と共に、包装の残り部分から取り外すことが可能であること、
を特徴とする請求項３に記載のディスペンサ組立品。
【請求項５】
開口部部分（２４０、２８０）は、少なくとも１つのスロット（２４８）によって規定されること、
を特徴とする請求項３または４に記載のディスペンサ組立品。
【請求項６】
包装は支持シート（２５）とカバーシート（２１）とから成り、ディスペンサ（１）は支持シート（２５）に固定されており、カバーシートは支持シートに対し、前記両シートの周縁部（２２、２６）にわたって固定されていること、
を特徴とする請求項１乃至５のいずれかに記載のディスペンサ組立品。
【請求項７】
支持シートとカバーシートとは一体的に作られており、１つの辺（２０）に沿って折り畳まれていること、
を特徴とする請求項６に記載のディスペンサ組立品。
【請求項８】
開口部部分（２４、２８；２４０、２８０）は、前記１つの辺（２０）に位置していること、
を特徴とする請求項３に記載のディスペンサ組立品。
【請求項９】
取り外し可能な密封部材（１８）は、開口部部分（２４、２８；２４０、２８０）の内部に全体が存すること、
を特徴とする請求項１乃至８のいずれかに記載のディスペンサ組立品。
【請求項１０】
取り外し可能な密封部材（１８）は、前記１つの辺（２０）と実質的に一直線上に延びる自由端（１８２）を備えていること、
を特徴とする請求項８または９に記載のディスペンサ組立品。
【請求項１１】
シート（２１、２５）のうちの少なくとも１枚が実質的に平面であること、
を特徴とする請求項６に記載のディスペンサ組立品。
【請求項１２】
投与開口部（１７）は、開口部部分のエッジの１つに位置していること、
を特徴とする請求項６に記載のディスペンサ組立品。
【請求項１３】
本体（１０）には、押下されることで投与開口部を通して流体を外へ送り出すことを可能とする駆動壁（１９）が形作られており、前記動作壁は包装の上から駆動することが可能であること、
を特徴とする請求項１乃至１２のいずれかに記載のディスペンサ組立品。
【請求項１４】
開口部部分（２４、２８；２４０、２８０）は、支持シートおよびカバーシートのそれぞれが有する、効果的には同一の形の、カットアウト（２４、２８；２４１、２８１、２４８）によって形成されており、
前記カバーシートが支持シート上に配置された際には、前記カットアウトは重なりあうこと、
を特徴とする請求項６に記載のディスペンサ組立品。
【発明の詳細な説明】
【技術分野】
【０００１】
本発明は、香水、化粧品、あるいは、医薬の分野において使用されるものとしての、流体ディスペンサ組立品に関する。
【背景技術】
【０００２】
香水および化粧品の分野では、実際、消費者に製品を認知してもらうことを目的にして、販売促進用サンプルとして用いられるディスペンサまたはディスペンサ組立品が存在する。そのようなサンプルは、無料で配布されるのが一般的である。また、こうしたサンプルの中には、雑誌に入れられるものもあり、さらには、１冊の雑誌に３つ、４つ、あるいは５つのサンプルが入れられることも珍しくない。そのため、サンプルについては、雑誌が厚くなりすぎないように、相当薄いものとする必要がある。雑誌は縦に山積みする形で積むのに適した形でなければならず、さらに、雑誌に入れられたサンプルのせいで積み重ねた雑誌が不安定になる事態は避けなければならない。
【０００３】
雑誌にサンプルを挿入する場合に一般的に用いられる機械では、サンプルは先ず、供給ビンに垂直に置かれることになる。吸着パッドシステムが、ビンの中で一番下にあるサンプルをつかみ、次いで、クローシステムがこれを吸着パッドシステムから引き継いで、貼りつけステーションから加圧ステーションへとサンプルを渡し、雑誌のページにサンプルが貼りつけられる。このようにしてサンプルを雑誌に配置する操作を実施するためには、吸着パッドシステムによってこれらをつかむ必要がある。残念なことに、吸着パッドシステムは、吸着パッド技術に固有の理由によって、実質的に平面となった面に対してしか効果的に動作しない。吸着パッドは、全体的にむらのある面に対しては利用できない。さらに、サンプルの形状を標準的なもの（正方形または矩形とするのが好ましい）とする必要があり、これは、ビン内におけるサンプルの位置決めや移動、吸着パッドシステムや、それに続くクローシステムによるビンの保持、が妨げられないようにするためである。
【発明の開示】
【発明が解決しようとする課題】
【０００４】
このようにサンプルとして使用されるディスペンサ組立品は、一般的に、流体貯蔵器が形作られた流体ディスペンサを有する。残念ながら、貯蔵器については、特に平らであると同時に特に平面的でもある、という形状を実現するのが難しい。貯蔵器の壁を平面にするためには、成形断面シェル（熱形成によるのが効果的である）を用いることができる。残念ながら、それでも、貯蔵器の厚みはかなりなものになる。また、２枚の柔軟なシートを使って貯蔵器を作ることも可能である。これであれば、貯蔵器の厚みを相当に減ずることができるが、貯蔵器の表面を確実に平面にすることはできない。
【０００５】
さらに、どんな流体ディスペンサも投与開口部を備えており、ディスペンサがサンプルとして使用される場合は、取り外し可能な密封部材で投与開口部を密封している場合が多く、消費者は、当該密封部材を切り取ったり、取り外したり、折り曲げたりすることで、投与開口部の口を開けることができる。重要なのは、吸着キャップおよびクローシステムを備える機械によるサンプルのフィード処理が、密封部材によって妨げられないようにすることである。言い換えると、取り外し可能な密封部材については、アクセス可能な状態に保つ一方で、フィード機械がサンプルをつかんで雑誌に固定する作動が当該密封部材によって妨害されないようにする必要がある。
【０００６】
ただし、貯蔵器の表面の平面性に関する問題、そして、取り外し可能な密封部材に起因する妨害に関する問題は、雑誌への挿入用に作られるサンプルに特有であると考えるべきではない。また、見た目の理由や機能上の理由から、貯蔵器の表面を平面にすることには効果がある。そこに文字を載せられるからである。加えて、取り外し可能な密封部材がサンプルの外側にあっても保護され、それによって、取り外し可能な密封部材が、意図しない形で切り離されたり、取り外されたりという事態が生じない、とするのが効果的である。
【課題を解決するための手段】
【０００７】
以上の課題を解決するために、本発明が提供するのは、流体ディスペンサ組立品であって、特徴となるのは、投与開口部と、当該投与開口部を密封するのに適した取り外し可能な密封部材とを備える実質的に平らな本体、を形作る流体ディスペンサと、そして、ディスペンサを包み、開口部部分が形成された包装であって、当該開口部部分に内部には取り外し可能な密封部材が納められ、それをつかんで本体から取り除くことで投与開口部を開けることが可能である、という前記包装と、を有する点である、というディスペンサ組立品である。
【発明の効果】
【０００８】
これによって、流体貯蔵器が形作られたディスペンサの本体は、包装によって覆われた形となる。さらに、取り外し可能な密封部材は開口部部分の中で保護されているため、組立品を取り扱う際に、これが障害になったり邪魔になったりすることはほとんどありえない。加えて、取り外し可能な密封部材が、その開口部部分において、意図しない形で駆動される可能性も極めて低くなる。そして、包装の外壁が、実質的に平らであるが厳密には平面でない、という本体を覆っている。この包装によって、少なくとも１つ面が平面となると共に、取り外し可能な密封部材は保護されることになる。
【０００９】
そして、第１の実施の形態においては、開口部部分はリセスを備え、当該リセス内には、取り外し可能な密封部材が、外から見える様態で保持されていること、とする。この実施の形態では、包装には一種のカットアウトが形成されることになり、このカットアウト内部で、取り外し可能な密封部材は目に見え、直接につかむことのできる状態となる。
そして、第２の実施の形態においては、開口部部分は、少なくとも部分的に、取り外し可能な密封部材を包んでいること、とする。また、開口部部分は、少なくとも１本の抵抗最弱ラインによって規定されており、それによって、開口部部分は、取り外し可能な密封部材と共に、包装の残り部分から取り外すことが可能であること、とするのが効果的である。さらに、変形例として、あるいはこれに加えて、開口部部分は、少なくとも１つのスロットによって規定されること、とする。その場合、開口部部分が取り外し可能な密封部材を覆う形となり、密封部材は必ずしも全体が目に見える状態にはならない。これを取り外す場合には、開口部部分をつかんで、そのまま取り外し可能な密封部材と一緒に切り取るだけでよい。
【００１０】
そして、実際的な実施の形態として、包装は支持シートとカバーシートとから成り、ディスペンサは支持シートに固定されており、カバーシートは支持シートに対し、前記両シートの周縁部にわたって固定されていること、とする。支持シートについては、ディスペンサの本体よりも堅くするのが効果的であり、そうすることで、内側の面に対して本体が固定されることに起因する変形をまったく受けない。そして、最終的に包装が組み立てられた段階では、支持シートおよびカバーシートは、それらの間に収められたディスペンサの本体が実質的に平らであるため、わずかに凸状となる。それでも、全体的には、シートは実質的に平らであり、吸着パッドシステムがつまみ上げるのに適した形状となっている。同様に、２枚のシートのうちの少なくとも１枚が平面であるという事実によって、その上に、商標、成分、流体の取扱説明などの表記を載せるのが容易になる。また、支持シートとカバーシートとは一体的に作られており、１つの辺に沿って折り畳まれていること、とするのが好ましい。また、効果的な構成として、開口部部分は、前記１つの辺に位置していること、とする。また、取り外し可能な密封部材は、開口部部分の内部に全体が存すること、とするのが好ましい。また、実際的な実施の形態として、取り外し可能な密封部材は、接続辺（connection side）と実質的に一直線上に延びる自由端を備えていること、とする。
【００１１】
また、効果的な構成として、投与開口部は、開口部部分のエッジの１つに位置していること、とする。例えば、リセスの底面部や抵抗最弱ラインの上である。
また、好適な実施の形態として、本体には、押下されることで投与開口部を通して流体を外へ送り出すことを可能とする駆動壁が形作られており、前記動作壁は包装の上から駆動することが可能であること、とする。
【００１２】
また、本発明の別の側面として、開口部部分は、支持シートおよびカバーシートのそれぞれが有する、効果的には同一の形の、カットアウトによって形成されており、前記カバーシートが支持シート上に配置された際には、前記カットアウトは重なりあうこと、とする。
【発明を実施するための最良の形態】
【００１３】
以下、本発明に関して、非制限的な例としての本発明の実施の形態を示す図面を参照しながら、更に詳しく説明する。
ここで説明する２つの実施例において、本発明の流体ディスペンサ組立品は、２つの構成物要素（すなわち、流体ディスペンサ１と包装２と）から成る。
ディスペンサ１については、たとえば、本文書に参照の形で組み入れられる特許公報：ＦＲ ２ ７９１ ６４５号に記述されたディスペンサと同一のものとすることができる。つまり、その文書に記述されたディスペンサと図２に示すディスペンサとは同一としてよい。ディスペンサ１が有する本体１０は、１枚または２枚のシート１１、１２（例えば、合成フィルム製のもの）が、その周縁部で接合された形でなる。そして、この構造により、本体１０は少量の流体を格納できる貯蔵器１６を形作っている。そして、支持部品１３が２枚のシート１１、１２の間に固定されており、その固定手段は、熱シール処理とするのが効果的である。この部品１３は、流体をしみ込ませることのできる多孔質素材片１４を保持する働きをする。多孔質素材片１４は、支持部品１３から貯蔵器１６の内部へと延びるが、支持部品１３に固定された端部を介して投与開口部１７に通じている。また、バネ要素１５が貯蔵器１６内に配置されている。ディスペンサ１は、本体１０に加えてさらに、取り外し可能な密封部材１８を有し、当該密封部材は、投与開口部１７を密封するか、またはこれを覆う。このディスペンサに関して特に特徴となるのは、特許公報文書：ＦＲ ２ ７９１ ６４５号に記述されているように、バネ要素１５が最大限にまで圧縮されることで、取り外し可能な密封部材１８が本体１０から取り外されるまでの間、貯蔵器の容積が最小限に保たれる、という点である。これによって、ディスペンサの本体１０については、その厚みが２ミリメートルを超えない、実質的に平らな形状となることが保証される。取り外し可能な密封部材１８が取り外されると直ちに、空気が、投与開口部１７さらには多孔質素材片１４を通過して、貯蔵器１６内に入ってくる。その時点では、貯蔵器１６の内部には、少量の流体と大量の気体とが入っており、それによって、多孔質素材の部材および投与開口部１７を通しての２相の投与を実行することが可能となる。こうして、良好な噴霧品質が保証される。
【００１４】
以上は、流体ディスペンサに関する特定の実施の形態にすぎない。本発明の範囲から逸脱しない形で、ディスペンサに関する他の実施の形態を考えることは当然可能である。しかし、好ましいのは、特許公報文書ＦＲ ２ ７９１ ６４５号に記述されたもの、すなわち、本実施の形態におけるディスペンサである。
また、流体製品に関しては、粉末（より一般的な言い方では、粒状物質（pulverulent material））としてもよい。なお、その場合、多孔質素材は省略することができる。
【００１５】
本発明では、ディスペンサ組立品はさらに包装２を有し、当該包装は、少なくとも部分的にディスペンサ１の本体１０を包んでいる。包装２については、２枚のシート２１、２５から成り、その間にディスペンサ１の本体１０が配置される、としてもよい。また、包装については、単一のシートが、まっすぐな接続サイド２０を成す折り目に沿って半分に折り曲げられている、という形で成ることにしてもよい。当該シートは、プラスチック製、金属製、紙製、カード製、あるいは、金属とプラスチックとのラミネート合成フィルム製、とすることができる。
【００１６】
効果的な構成として、シートの寸法はディスペンサ１の本体１０の寸法より大きく、それによって、ディスペンサの本体１０をシートの間に配置しても、そこから突き出ることはない。また、２枚のシートの一方であるシート２５は、ディスペンサの本体１０が接着剤によって固定される支持シートとして用いるのが好ましい。ここでは、本体１０の面１１が、支持シート２５に貼り付けられるものとする。そうして、もう一方のシート２１は、支持シート２５の上にかぶさる形で折り畳まれ、ディスペンサの本体１０を覆う形となる。カバーシート２１は支持シート２５上に、それらの各周縁部２２、２６において貼り付けられるが、２枚のシートがつなぎ合わされている側面２０は除く。このようにしてできた包装の輪郭は、完全に平らで、薄いものとなる。
【００１７】
ディスペンサの本体１０は実質的に平らであるといえる（厚みがおよそ２mmである）ので、支持シート２５およびカバーシート２１も、比較的平らな状態を保つか、そうでない場合でも、わずかに湾曲している程度である。こうして、非常に平らで、表面が実質的に平面であるようなディスペンサ組立品が得られる。必須の条件は、ディスペンサ組立品の２つの表面のうちの少なくとも１つが実質的に平面となっている、ということである。しかし、実際のところ、上での述べたようなディスペンサの場合、ディスペンサ組立品の表面は、両方とも実質的に平面となる。
【００１８】
発明に関するもう一つの特性として、取り外し可能な密封部材は、包装２に形成された開口部部分２４、２８、２４０、２８０の内部に収容される形となる。
図１から３に示す、発明の第１の実施の形態では、取り外し可能な密封部材１８はリセス内に収まっており、当該リセスは、２枚のシートが出会う接続部分（すなわち、側面２０）にカットアウトの形で設けられたウインドウによって形成されている。そうして、リセスは、カバーシート２１に形成されたウインドウ部２４と、支持シート２５に形成されたもう１つのウインドウ部２８とから成る。２枚のシートが折り重ねられて、互いに固定された段階では、図３に見られるように、ウインドウは、側面２０に切り抜かれたリセスに姿を変える。取り外し可能な密封部材１８は、その全体がリセス２４、２８の内部に存する、とするのが効果的であり、さらに、その自由端１８２が、実質的に側面２０と一直線上の位置となる、とするのが好ましい。本体１０を支持する支持部品１３に形成された投与開口部１７については、リセス２４、２８の底の線に来るようにするのが効果的である。リセス内に取り外し可能な密封部材１８を配置することによって、前記部材は充分に保護され、しかも、それが邪魔になったり、偶然に切り取られたりする、という危険も生じない。加えて、ディスペンサ組立品は、ほとんど完全な矩形または正方形の形状を有しており、取り外し可能な密封部材が包装２に形成されたリセスのほとんど全体を占めるようになっている。
【００１９】
このようなディスペンサ組立品を使用する際、ユーザは単に、取り外し可能な密封部材１８を取り外したうえで、本体１０の一方または両方の表面に形成された駆動壁１９を押し込むように、包装に圧力を加えるだけでよい。
図４から６に示される第２の実施の形態では、取り外し可能な密封部材１８は、シート２１、２５によって形成される開口部部分に包まれている。より厳密に言えば、シート２１と２５は２枚のフラップ２４０、２８０を形作っており、カバーシート２１が支持シート２５に重なる形に折り畳まれた状態では、これらは重なり合う形となる。ここに示す例におけるフラップ２４０、２８０は、部分的には、抵抗最弱ライン２４１、２８１によって、さらに、スロット２４８によって形作られている。図５に示すように包装が閉じられた状態では、重なった２枚のフラップ２４０、２８０がタブを形成する。そして、当該タブは、取り外し可能な密封部材を包む形となり、半分に折られたスロット２４８と重なった切取り開始線２４１、２８１とによって規定される。図４から６に示す実施の形態では、開口部部分は側面２０に位置しており、そのため、フラップ２４０、２８０は単一の部品を形成することになる。当然のことながら、開口部部を包装２の他のいずれかの側面に配置することも可能である。
【００２０】
このディスペンサ組立品を使用する際、ユーザは、開口部部分が形成されているタブをつかみ、それを切取り開始線に沿って切り取る。すると、それによって、タブに包まれている取り外し可能な密封部材も同時に切り取られることになる。
本発明のディスペンサ組立品の場合、供給ビン（組立品をつかんで雑誌内に挿入する吸着パッドシステムを備える機械に使われるもの）に格納するのが非常に容易となる。
【００２１】
図面に示したディスペンサ組立品の形状は、矩形または正方形となっているが、これについては他の幾何学的形状を考えることも可能であり、例えば、多角形、円形、卵形、または楕円などが考えられる。本発明の原則の１つは、組立品が、実質的に平面となった表面を少なくとも1つ有する、および／または、内部に取り外し可能な密封部材が保持される開口部部分を有する、という事実に存する。
【図面の簡単な説明】
【００２２】
【図１】流体ディスペンサ組立品の第１の実施の形態を示す斜視図であり、包装の組立途中の状態を示す図である。
【図２】本発明のディスペンサ組立品に用いられる流体ディスペンサを示す平面図である。
【図３】本発明のディスペンサ組立品を完成状態で示す斜視図である。
【図４】本発明のディスペンサ組立品の第２の実施の形態を示す斜視図であり、組立途中の状態を示す図である。
【図５】図４に示す組立品を示す図であり、完成状態を縮小して示す図である。
【図６】図５と同様の図であり、開口部部分と取り外し可能密封部材とが取り外された状態を示す図である。
【図１】
2004535992.tif 000003
【図２】
2004535992.tif 000004
【図３】
2004535992.tif 000005
【図４】
2004535992.tif 000006
【図５】
2004535992.tif 000007
【図６】
2004535992.tif 000008
【国際公開パンフレット】
2004535992.tif 000009
2004535992.tif 000010
2004535992.tif 000011
2004535992.tif 000012
2004535992.tif 000013
2004535992.tif 000014
2004535992.tif 000015
2004535992.tif 000016
2004535992.tif 000017
2004535992.tif 000018
2004535992.tif 000019
2004535992.tif 000020
2004535992.tif 000021
2004535992.tif 000022
【手続補正書】
【提出日】平成15年2月26日(2003.2.26)
【手続補正１】
【補正対象書類名】特許請求の範囲
【補正対象項目名】全文
【補正方法】変更
【補正の内容】
【特許請求の範囲】
【請求項１】
流体ディスペンサ組立品であって、
投与開口部（１７）と、当該投与開口部（１７）を密封するのに適した取り外し可能な密封部材（１８）とを備える実質的に平らな本体（１０）、を形作る流体ディスペンサ（１）と、そして、
ディスペンサ（１）を包み、開口部部分（２４、２８；２４０、２８０）が形成された包装（２）であって、当該開口部部分に内部には取り外し可能な密封部材（１８）が納められ、それをつかんで本体から取り除くことで投与開口部を開けることが可能である、という前記包装と、を有し、
前記包装は辺（side）を有し、
特徴となるのは、開口部部分が前記辺に存し、取り外し可能な密封部材が開口部部分の中に存する点である、
というディスペンサ組立品。
【請求項２】
開口部部分はリセス（２４、２８）を備え、当該リセス内には、取り外し可能な密封部材（１８）が、外から見える様態で保持されていること、
を特徴とする請求項１に記載のディスペンサ組立品。
【請求項３】
開口部部分（２４０、２８０）は、少なくとも部分的に、取り外し可能な密封部材（１８）を包んでいること、
を特徴とする請求項１に記載のディスペンサ組立品。
【請求項４】
開口部部分（２４０、２８０）は、少なくとも１本の抵抗最弱ライン（２４１、２８１）によって規定されており、それによって、開口部部分は、取り外し可能な密封部材と共に、包装の残り部分から取り外すことが可能であること、
を特徴とする請求項３に記載のディスペンサ組立品。
【請求項５】
開口部部分（２４０、２８０）は、少なくとも１つのスロット（２４８）によって規定されること、
を特徴とする請求項３または４に記載のディスペンサ組立品。
【請求項６】
包装は支持シート（２５）とカバーシート（２１）とから成り、ディスペンサ（１）は支持シート（２５）に固定されており、カバーシートは支持シートに対し、前記両シートの周縁部（２２、２６）にわたって固定されていること、
を特徴とする請求項１乃至５のいずれかに記載のディスペンサ組立品。
【請求項７】
支持シートとカバーシートとは一体的に作られており、１つの辺（２０）に沿って折り畳まれていること、
を特徴とする請求項６に記載のディスペンサ組立品。
【請求項８】
開口部部分（２４、２８；２４０、２８０）は、前記１つの辺（２０）に位置していること、
を特徴とする請求項３に記載のディスペンサ組立品。
【請求項９】
取り外し可能な密封部材（１８）は、開口部部分（２４、２８；２４０、２８０）の内部に全体が存すること、
を特徴とする請求項１乃至８のいずれかに記載のディスペンサ組立品。
【請求項１０】
取り外し可能な密封部材（１８）は、前記１つの辺（２０）と実質的に一直線上に延びる自由端（１８２）を備えていること、
を特徴とする請求項８または９に記載のディスペンサ組立品。
【請求項１１】
シート（２１、２５）のうちの少なくとも１枚が実質的に平面であること、
を特徴とする請求項６に記載のディスペンサ組立品。
【請求項１２】
投与開口部（１７）は、開口部部分のエッジの１つに位置していること、
を特徴とする請求項６に記載のディスペンサ組立品。
【請求項１３】
本体（１０）には、押下されることで投与開口部を通して流体を外へ送り出すことを可能とする駆動壁（１９）が形作られており、前記動作壁は包装の上から駆動することが可能であること、
を特徴とする請求項１乃至１２のいずれかに記載のディスペンサ組立品。
【請求項１４】
開口部部分（２４、２８；２４０、２８０）は、支持シートおよびカバーシートのそれぞれが有する、効果的には同一の形の、カットアウト（２４、２８；２４１、２８１、２４８）によって形成されており、
前記カバーシートが支持シート上に配置された際には、前記カットアウトは重なりあうこと、
を特徴とする請求項６に記載のディスペンサ組立品。
【国際調査報告】
2004535992.tif 000023
2004535992.tif 000024
2004535992.tif 000025
2004535992.tif 000026